(57)【特許請求の範囲】
【請求項１】
機体前部に刈取部Ｃを配置し、該刈取部Ｃの後端と脱穀部Ｄの前部入口をフィーダハウス１２によって連通し、脱穀部Ｄはスクリュー型の扱胴６を刈取部Ｃの中心に対して側方にオフセットして配置し、該脱穀部Ｄの下部に選別部２９を配置し、該脱穀部Ｄの側方にグレンタンク４を併置した汎用型コンバインにおいて、
前記フィーダハウス１２の左右中心を刈取部Ｃのプラットホーム１４の左右中心に対してオフセットして配置するとともに、操縦部Ａを前記フィーダハウス１２上に配置し、
前記操縦部Ａの進行方向左右両側にはステップ２４・２４を垂設し、該左右両側のステップ２４・２４よりオペレータが乗り降り可能とし、
前記フィーダハウス１２の昇降時に操縦部Ａと干渉しないように、操縦部Ａの下方には、該フィーダハウス１２の昇降のための空間を形成したことを特徴とする汎用型コンバイン。
【発明の詳細な説明】
【０００１】
【発明の属する技術分野】
本発明は、操縦部からの前方の視界を確保するための汎用型コンバインの操縦部のレイ    アウトに関する。
【０００２】
【従来の技術】
従来より、クローラ式走行装置の上部に機体フレームを載置し、該機体フレームより前方に刈取部を突出し、その後部にスクリュー型の扱胴を有する脱穀部を載置し、脱穀してその下方で選別した穀粒をグレンタンクに収納する汎用型コンバインは公知となっており、前記汎用型コンバインの操縦部は機体フレームの進行方向右側前部に配置して、フィーダハウス前方に設けた刈取部を昇降するときに操縦部がフィーダハウスと干渉しないように、操縦部はフィーダハウスの側方に配置していた。
【０００３】
【発明が解決しようとする課題】
しかし、該技術では操縦部は機体フレームの進行方向右側前部に配置されているため、操縦部から見て前方、特に左前方の視界が確保できず、作業時に左端の位置が判らず、オペレータの感により刈取位置を定めて刈り取っていたのである。また、操縦部が右側に偏っているために操作性も悪くなるという不具合があった。
【０００４】
【課題を解決するための手段】
本発明の解決しようとする課題は以上の如くであり、次に該課題を解決する為の手段を説明する。
機体前部に刈取部Ｃを配置し、該刈取部Ｃの後端と脱穀部Ｄの前部入口をフィーダハウス１２によって連通し、脱穀部Ｄはスクリュー型の扱胴６を刈取部Ｃの中心に対して側方にオフセットして配置し、該脱穀部Ｄの下部に選別部２９を配置し、該脱穀部Ｄの側方にグレンタンク４を併置した汎用型コンバインにおいて、前記フィーダハウス１２の左右中心を刈取部Ｃのプラットホーム１４の左右中心に対してオフセットして配置するとともに、操縦部Ａを前記フィーダハウス１２上に配置し、前記操縦部Ａの進行方向左右両側にはステップ２４・２４を垂設し、該左右両側のステップ２４・２４よりオペレータが乗り降り可能とし、前記フィーダハウス１２の昇降時に操縦部Ａと干渉しないように、操縦部Ａの下方には、該フィーダハウス１２の昇降のための空間を形成したものである。
【発明の実施の形態】
【０００５】
本発明の実施の形態を説明する。
図１は本発明の汎用型コンバインの側面図、図２は同じく汎用型コンバインの平面図、図３は横送りオーガの平面図、図４は横送りオーガの側面図、図５は操縦部Ａの正面図である。
【０００６】
まず、汎用型コンバインの全体構成を説明すると、図１、図２に示すように、汎用型コンバインはクローラ式走行装置１上に機体フレーム２を配置し、この機体フレーム２の左右略中央前部上に操縦部Ａを配設している。機体フレーム２の右前上にはエンジンＥを載置し、その後部にグレンタンク４を配置し、このグレンタンク４の後部からグレンタンク４の上前方に穀粒を排出するための排出オーガ５を配設している。
【０００７】
前記機体フレーム２の前下部にミッションケースＭを配設しており、側方に載置するエンジンＥより動力を入力するようにしている。入力した動力は、ミッションケースＭ内によって変速した動力を図示せぬ車軸に伝達し、該車軸を介して駆動スプロケット３１に伝達し、機体を走行駆動させている。
【０００８】
また、前記機体フレーム２の中央より前方には刈取部Ｃを配置し、該刈取部Ｃの後端と脱穀部Ｄの前部入口をフィーダハウス１２によって連通し、脱穀部Ｄはスクリュー型の扱胴６をその回転軸が前後方向やや前下がりに傾斜するように配置し、また、該扱胴６の中心は刈取部Ｃの中心に対して左側方に若干ずらして配置されている。この扱胴６の下部には受網７を配置している。この脱穀部Ｄの下には、唐箕９やグレンシーブ１０、流穀板１１等からなる選別部２９が配置されている。
【０００９】
前記脱穀部Ｄの入口にフィーダハウス１２の後部を連通し、このフィーダハウス１２内にはフィーダコンベア１５を設け、刈り取った穀稈を脱穀部Ｄへ搬送するようにしている。このフィーダハウス１２の前部にプラットホーム１４を設けており、該プラットホーム１４には進行方向と直角に横送りオーガ１６が配置され、該横送りオーガ１６の前下部に刈刃１７が横設されている。
【００１０】
図３、図４に示す如く、前記横送りオーガ１６は、フィーダハウス１２の前部入口に向かって穀稈を送るようにスクリュー羽根２５が左右巻方向を互いに逆向きとしてらせん状に巻かれており、該スクリュー羽根２５には穀稈を切断できるように、スクリュー羽根２５の外周部分に等間隔に切断刃２６・２６・・・を配置している。従って、刈取作業時に、刈刃１７によって刈り取られた穀稈がプラットホーム１４に送られ、横送りオーガ１６の駆動によって、スクリュー羽根２５の回転と同時に切断刃２６・２６・・・も回転されて、前記穀稈は切断刃２６・２６・・・によって荒切断されて、フィーダハウス１２に送られるのである。このように穀稈が横送りオーガ１６で荒切断されるので、長稈の場合には横送りオーガ１６に巻きついたり、フィーダハウス１２と扱胴６の間で穀稈が詰まることがあったが、荒切断されるので、巻きつきや詰まりがなく連続的に搬送することができ、作業能率を向上することができるのである。
【００１１】
そして、前記プラットホーム１４の左右両側の前端に分草板１８・１８を設け、プラットホーム１４の後部の左右両端にはリール１９を横架した支持アーム２０の後部が枢支され、この支持アーム２０の左右一側にはリール回転駆動用のベルトやプーリー等からなる動力伝達機構が設けられている。このリール１９は支持アーム２０とプラットホーム１４との間にアクチュエータとして油圧シリンダ２１を介装して、これによって昇降される。
【００１２】
従って、刈取作業を行うと、分草板１８によって分草して、リール１９の回転によって穀稈を掻き込み、刈刃１７によって穀稈の株元側を刈取り、この刈り取られた穀稈は横送りオーガ１６の回転によって中央側へ横送りされて、中央のフィーダハウス１２前端からフィーダコンベア１５によって後方へ搬送されて脱穀部Ｄへ送られ、脱穀された穀粒をグレンタンク４に収納している。
【００１３】
また、前記操縦部Ａは前記フィーダハウス１２の上方に配設されており、側面視において、フィーダハウス１２の前端と操縦部Ａの前端の位置が略一致するように配設しており、かつ、フィーダハウス１２の後端と操縦部Ａの後端の位置を略一致させて配置されており、従来のフィーダハウスの側方に設けていた構成に比べて操縦位置が高くなり、前方の視界、特に刈取部Ｃのために遮られていた左前方の視界が確保でき、刈取作業の状態が分かり、正確に作業をすることができるのである。
但し、フィーダハウス１２の後端は、本機に対して枢支され、油圧シリンダー等で刈取部Ｃを上下に昇降できるようにしているが、上昇時にフィーダハウス１２と操縦部Ａは干渉しないように、操縦部Ａ下方には昇降のための空間を形成している。
【００１４】
そして、図５に示す如く、前記操縦部Ａは丸型操向ハンドル２２や作業レバー等を配置し、該操縦部Ａの進行方向左側には操作パネル２３を、そして進行方向左右両側にはステップ２４・２４を設けている。操作パネル２３は操縦部Ａの左側に配置して左側の空間を利用し、ステップ２４・２４を使用して左右両側から乗り降りすることができるのである。
【００１５】
また、前記フィーダハウス１２の左右中心Ｏ２はプラットホーム１４（本機）の左右中心Ｏ１よりも左側にオフセットして配置しており、更に、扱胴６の左右中心Ｏ３は前記フィーダハウス１２の左右中心Ｏ２よりも左側にオフセットして配置している。このようにして、扱胴６は従来のまま左側に配置して、フィーダハウス１２を出来るだけ機体左右中心に近づけて配置して、刈取部Ｃを左右重量バランスをとりながら昇降支持できると共に、穀稈を左右略均等に集めて脱穀部Ｄへ遅れるようにしている。
【００１６】
そして、前記操縦部Ａを前記フィーダハウス１２の上方に配置して、運転席３０及び操向ハンドル２２の左右中心はプラットホーム１４（本機）の左右中心Ｏ１上に略一致させて配置している。よって、前述の如く左右前方の視界が確保でき、操縦部Ａから後方、特に左後方にも気を配ることができるのである。また、排出オーガ５は脱穀部Ｄと反対側、つまり機体フレーム２の進行方向右側位置で収納するようにしているので、穀稈を刈り取り、脱穀し、選別した後の穀粒をグレンタンク４に貯留し、該グレンタンク４がいっぱいになったり、その圃場の刈り取りが終了して、該排出オーガ５によって排出するときに、右側からトラックの荷台や乾燥機等に排出でき、その際、該排出オーガ５をオペレータ上方を通過させることなく回動させることができるので操作性に優れ、また、排出側に配置しているので旋回時間を短くすることもできるのである。
【００１７】
【発明の効果】
本発明は以上の如く構成したので、次のような効果を奏する。
機体前部に刈取部Ｃを配置し、該刈取部Ｃの後端と脱穀部Ｄの前部入口をフィーダハウス１２によって連通し、脱穀部Ｄはスクリュー型の扱胴６を刈取部Ｃの中心に対して側方にオフセットして配置し、該脱穀部Ｄの下部に選別部２９を配置し、該脱穀部Ｄの側方にグレンタンク４を併置した汎用型コンバインにおいて、前記フィーダハウス１２の左右中心を刈取部Ｃのプラットホーム１４の左右中心に対してオフセットして配置するとともに、操縦部Ａを前記フィーダハウス１２上に配置し、前記操縦部Ａの進行方向左右両側にはステップ２４・２４を垂設し、該左右両側のステップ２４・２４よりオペレータが乗り降り可能とし、前記フィーダハウス１２の昇降時に操縦部Ａと干渉しないように、操縦部Ａの下方には、該フィーダハウス１２の昇降のための空間を形成したので、操縦部Ａを機体中心に近づけて、高い位置に配置できるようになり、前方の視界が良好となり、刈取部Ｃの左右両側を見ることができるようになり、刈取精度を向上でき、操作性も向上できたのである。
【図面の簡単な説明】
【図１】  本発明の汎用型コンバインの側面図。
【図２】  同じく、汎用型コンバインの平面図。
【図３】  横送りオーガの平面図。
【図４】  横送りオーガの側面図。
【図５】  操縦部Ａの正面図。
【符号の説明】
Ａ  操縦部
Ｃ  刈取部
Ｄ  脱穀部
Ｅ  エンジン
Ｍ  ミッションケース
１  クローラ式走行装置
４  グレンタンク
１２  フィーダハウス
１４  プラットホーム
２４  ステップ
２９  選別装置
【図１】
0003754176.tif 000002
【図２】
0003754176.tif 000003
【図３】
0003754176.tif 000004
【図４】
0003754176.tif 000005
【図５】
0003754176.tif 000006